【事件の表示】
　平成　３年特許願第２１０５７８号「データの記録方法及びこの方法によりデータを印刷した印刷体」拒絶査定に対する審判事件［平成　５年　３月　５日出願公開、特開平　５−　５４２１４］について、次のとおり審決する。
【結　論】
　本件審判の請求は、成り立たない。
【理　由】
１．手続の経緯・本願発明
　本願は、平成３年８月２２日の出願であって、その請求項１に係る発明は、平成１１年７月２６日付け、及び平成１２年５月３０日付けの各手続補正書により補正された明細書及び図面の記載からみて、特許請求の範囲の請求項１に記載されたとおりの次のものと認める。（以下、「本願発明」という。）
「１０進法で０又は１を表す２進法の第１の桁表示欄と、１０進法で０又は２を表す２進法の第２の桁表示欄と、１０進法で０又は４を表す２進法の第３の桁表示欄と、１０進法で０又は８を表す２進法の第４の桁表示欄とからなり、前記第１乃至第４の桁表示欄に印を付けて一つの２進法データを表示する一単位のコードマークを物体に表示するデータの記録方法において、
　一つの単一色の網点からなるコードマークが一つの数値データを表示し、且つ、要素となる各々の網点の色が視認可能となるように、一つの数値データを表示する単一色のコードマークの第１乃至第４の桁表示欄に、Ｎ種の単一色の網点を所定の配分比率により混在させて表示し、前記コードマークの近傍に前記コードマークを読み出すときの基準となる基準マークを設けたことを特徴とするデータの記録方法。」
　
２．引用例
　これに対して、原査定の拒絶の理由に引用された特開昭６３−２５４５８６号公報（昭和６３年１０月２１日出願公開、以下「引用例」という。）には、次の事項が記載されている。
Ａ．「本発明は、複数種類の情報を記録することのできるようにした情報記録方法及びそれを用いた記録媒体に関するものであり、更に詳しくは、所定の様式により表わした複数種類の情報を重畳して記録することにより、多量の情報を記録することができるようにした情報記録方法及びそれを用いた記録媒体に関するものである。」（第１頁右下欄第３〜１０行）
Ｂ．「この「田の字コード」は、正方形を四等分して「田の字」状とし、形成された四つのマス目を適宜に塗りつぶすことにより情報を記録するようにしたもので、例えば第６図に示すように、塗りつぶすマス目の数及び位置によって１６種類のコードを表現し得るようにしたものである。」（第２頁左上欄第２０行〜右上欄第６行、及び第６図参照）
Ｃ．「第１図（ａ）は、本発明の情報記録方法の概念を、上述した「田の字コード」，即ち、正方形１を四等分して「田の字」状とし、形成された四つのマス目１１乃至１４を適宜に塗りつぶすことにより情報を記録するものにより説明するためのものであり、この第１図中（ａ）においては、まず、正方形１内のマス目１１を適宜色彩のインクにより塗りつぶすと共に、それ以外のマス目１２乃至１４はそのままとすることにより、二種類の区別可能な領域を設け、これにより「１」という情報を記録してある（図においては、左下がりの斜線により表わしてある）。
　そして更に、正方形１内のマス目１１及び１２を適宜色彩のインクにより塗りつぶすと共に、それ以外のマス目１３及び１４はそのままとすることにより、二種類の区別可能な領域を設け、これにより前記「１」という情報とは別個の「３」という情報を記録してある（図においては、右下がりの斜線により表わしてある）。
　即ち、「１」という情報に重畳させて、「３」という情報を記録してあるのである（尚、塗りつぶされたマス目とそれにより表わされる情報との対応は、第６図に示した例によっている）。
　而して、上述したように、「１」という情報は「３」という情報の下位にあり、しかも両情報共に独立して読み取りが可能である必要があるので、この実施例では、両情報を表わすためのインクに波長的に異なるものを用いると共に、上位にある「３」という情報を表わすためのインクには、それにより「１」という情報が遮蔽されないようにするため、透明度の高いものを用いてある。
　第１図（ｂ）乃至（ｄ）も第１図中（ａ）と同様にして二種類の情報を記録する様子を表わしてあり、順番に説明すれば、これらの正方形２乃至４には先の情報として「４」、「Ａ」及び「Ｆ」が、後の情報として「２」、「Ｃ」及び「０」がそれぞれ記録されることになるのである。
　一方、本発明の記録媒体Ｋは、上述したような情報をカード等の適宜媒体に、色彩の異なるインクを用いて複数回印刷することにより、その表面等適宜の位置に記録したものであり、即ち、再度第１図により説明すれば、まず先の情報である「１」、「４」、「Ａ」及び「Ｆ」を印刷し、次いで後の情報である「３」、「２」、「Ｃ」及び「０」を、前記先の情報に重畳させて印刷したものである。
　・・・（中略）・・・
　而して、上記のようにして構成した本発明記録媒体Ｋには、二種類の情報が記録されることになるが、これらの情報は以下に説明するようにして簡易に読み取ることができる。
　即ち、第２図に示したように前記情報を表わすために用いたインクの色彩に適した光源５，６からの光を、上記本発明記録媒体Ｋにおける情報記録部分である正方形１乃至４に順次照射し、反射光を、前記情報を表わすために用いたインクの色彩を単独で取り出すことのできる色フィルター７，８と、例えばＣＣＤ素子のような二次元パターンを認識することのできる受光素子９，１０とよりなる受光部に導き、受光素子９，１０の出力を・・・（中略）・・・処理すれば良いのである。
　尚、この場合、受光素子そのものが波長フィルター特性を有するものであれば、前記色フィルターは必要ないし、又、受光素子の種類等を選択すれば、光源を省略することもできるので、本発明記録媒体Ｋからは、第３図に示すような受光素子１３、増幅回路１４及びパターン認識回路１５により構成される簡易な構成により情報を読み取ることも可能となる。」（第３頁左下欄第５行〜第４頁左下欄第４行、及び第１〜３図参照）
Ｄ．「又、本発明により記録し得る情報は、二種類に限定されることもなく、先の情報に重畳させて別の情報を記録し、そして更に別の情報を重畳させて記録する等、情報の種類に制限のないことも勿論である。」（第３頁右上欄第１８行〜左下欄第２行）
　上記Ｂの記載及び第６図を参照すると、引用例記載のものにおいて用いられている「田の字コード」は、「１０進法で０又は１を表す２進法の第１の桁表示欄と、１０進法で０又は２を表す２進法の第２の桁表示欄と、１０進法で０又は４を表す２進法の第３の桁表示欄と、１０進法で０又は８を表す２進法の第４の桁表示欄とからなり、前記第１乃至第４の桁表示欄に印を付けて一つの２進法情報を表示する一単位のコードマーク」であることは、明らかである。
　また、上記Ｃの記載において、インクとして波長的に異なるもの、すなわち、色彩の異なるものを２種類用いて、下位の情報が上位の情報を表わすためのインクによって遮蔽されないように、上位の情報を表わすためのインクとしては透明度の高いものを用いてあるということは、２種類のインクが塗布されているコードマークの桁表示欄は、当然、２種類のインクの色が混色された色として視認されるものと認められる。そして、１種類のインクが塗布されているコードマークの桁表示欄は、当該インクの色が視認され、何もインクが塗布されていないコードマークの桁表示欄は、記録媒体の地の色が視認されるというように、桁表示欄の各要素の色が塗布されているインクに応じて視認されるものと認められる。
　さらに、上記Ｄの記載から、用いることのできるインクの種類は、２種類に限らずＮ種類とすることができるということが読みとれる。
　よって、上記Ａ〜Ｄの記載から、引用例には、次の発明が記載されているものと認められる。（以下、「引用例記載の発明」という。）
　１０進法で０又は１を表す２進法の第１の桁表示欄と、１０進法で０又は２を表す２進法の第２の桁表示欄と、１０進法で０又は４を表す２進法の第３の桁表示欄と、１０進法で０又は８を表す２進法の第４の桁表示欄とからなり、前記第１乃至第４の桁表示欄に印を付けて一つの２進法情報を表示する一単位のコードマークをカード等の記録媒体に表示する情報の記録方法において、
　一つの単一色からなるコードマークが一つの数値情報を表示し、且つ、要素となる各々の色が視認可能となるように、一つの数値情報を表示する単一色のコードマークの第１乃至第４の桁表示欄に、Ｎ種の単一色のインクを重ねて塗布して表示する情報の記録方法。
　
３．対比
　本願発明と引用例記載の発明とを対比すると、まず、引用例記載の発明における「カード等の記録媒体」、「情報」は、それぞれ、本願発明における「物体」、「データ」に相当する。
　そして、引用例記載の発明において、一つの単一色からなるコードマークが一つの数値情報を表示すること、及び、要素となる各々の色が視認可能となるようにすることは、それぞれ、本願発明において、「一つの単一色の網点からなるコードマークが一つの数値データを表示」すること、及び、「要素となる各々の網点の色が視認可能となるように」することを、包摂する概念である。
　さらに、引用例記載の発明において、Ｎ種の単一色のインクを重ねて塗布して表示することと、本願発明において、「Ｎ種の単一色の網点を所定の配分比率により混在させて表示」することは、ともに、Ｎ種の単一色を混ぜて表示するという概念に包摂されるものである。
　したがって、本願発明と引用例記載の発明とは、
　１０進法で０又は１を表す２進法の第１の桁表示欄と、１０進法で０又は２を表す２進法の第２の桁表示欄と、１０進法で０又は４を表す２進法の第３の桁表示欄と、１０進法で０又は８を表す２進法の第４の桁表示欄とからなり、前記第１乃至第４の桁表示欄に印を付けて一つの２進法データを表示する一単位のコードマークを物体に表示するデータの記録方法において、
　一つの単一色からなるコードマークが一つの数値データを表示し、且つ、要素となる各々の色が視認可能となるように、一つの数値データを表示する単一色のコードマークの第１乃至第４の桁表示欄に、Ｎ種の単一色を混ぜて表示するデータの記録方法
である点で一致し、次の点で相違する。
　相違点（１）：数値データの表示の態様が、本願発明においては、「一つの単一色の網点からなるコードマークが一つの数値データを表示し、且つ、要素となる各々の網点の色が視認可能となるように、一つの数値データを表示する単一色のコードマークの第１乃至第４の桁表示欄に、Ｎ種の単一色の網点を所定の配分比率により混在させて表示」するようなものであるのに対し、引用例記載の発明においては、Ｎ種の単一色のインクを重ねて塗布するものであって、コードマークが網点からなるものではなく、要素となる各々の網点の色が視認可能となるように、桁表示欄にＮ種の単一色の網点を所定の配分比率により混在させて表示するものではない点。
　相違点（２）：本願発明においては、「コードマークの近傍に前記コードマークを読み出すときの基準となる基準マークを設け」ているのに対し、引用例記載の発明においては、基準マークを設けるとはされていない点。
　
４．当審の判断
　上記相違点（１）、（２）について検討する。
［相違点（１）について］
　引用例記載の発明において、Ｎ種の単一色のインクを重ねて塗布することと、本願発明において、Ｎ種の単一色の網点を所定の配分比率により混在させることは、ともに印刷における混色の手法であるという点においては共通するものであるところ、該混色の手法として、Ｎ種の単一色の網点を所定の配分比率により混在させることは、周知の手法（必要であれば、例えば、特開平１−１３５６４９号公報等を参照されたい。）にすぎない。
　よって、引用例記載の発明における混色の手法として、上記周知の手法を採用し、引用例記載の発明において、一つの単一色からなるコードマークが一つの数値情報を表示し、且つ、要素となる各々の色が視認可能となるように、一つの数値情報を表示する単一色のコードマークの第１乃至第４の桁表示欄に、Ｎ種の単一色のインクを重ねて塗布して表示させることに代えて、「一つの単一色の網点からなるコードマークが一つの数値データを表示し、且つ、要素となる各々の網点の色が視認可能となるように、一つの数値データを表示する単一色のコードマークの第１乃至第４の桁表示欄に、Ｎ種の単一色の網点を所定の配分比率により混在させて表示」させることは、当業者が適宜に置換し得る混色の手法の１つを採用したことに伴う単なる設計変更にすぎない事項であるものと認められる。
　
［相違点（２）について］
　一般に、印刷したコードマークを読み取る際に誤りが生じないようにするために、該コードマークの近傍に該コードマークを読み出すときの基準となる基準マークを設けるという技術思想は周知（必要であれば、例えば、特開平３−１４９６８１号公報、特開平２−１０３１９３号公報、特開昭６４−８６２８９号公報等を参照されたい。）であるから、引用例記載の発明において、そのような基準マークを設けることは、当業者が必要に応じて適宜になし得ることにすぎないものと認められる。
　
　そして、本願発明の構成によってもたらされる効果も、引用例記載の発明、及び上記周知事項から当業者ならば容易に予測することができる程度のものであって、格別のものとはいえない。
　
５．むすび
　したがって、本願発明は、引用例記載の発明、及び上記周知事項に基いて、当業者が容易に発明をすることができたものであるので、特許法第２９条第２項の規定により特許を受けることができない。
　よって、結論のとおり審決する。